(57)【要約】【課題】  人間の視覚は両眼視といって一度にひとつの方向のひとつの対象しか見ることができない。鳥や草食動物、イルカなどがおこなっている左右の眼で同時に違う対象を見る単眼視の視覚を体験できる両単眼視スコープを提供する。【解決手段】  右眼と左眼がそれぞれ異なる映像や対象物をを見ることができる構造と機能を設けることで、鑑賞者が両眼による単眼視の視覚を体験できる。また、以上の構造に音声入出力機能を備えることで、鑑賞者はヘッドホン等から音声を楽しみながら本発明を使用することができる。【選択図】  図１
2006287896.tif 000002
【特許請求の範囲】
【請求項１】
右眼と左眼が同時にそれぞれ異なった映像や対象物を見る事ができる構造と機能を特徴とする両単眼視スコープ。
【請求項２】
音声入出力機能、もしくは音声入出力手段に接続できる機能を備え持つことを特徴とする請求項１記載の両単眼視スコープ。
【請求項３】
台座等に設置、もしくは一体化した構造を特徴とする請求項１記載の両単眼視スコープ。
【請求項４】
台座等に設置、もしくは一体化した構造を特徴とする請求項２記載の両単眼視スコープ。
【請求項５】
眼鏡型の本体を特徴とする請求項１記載の両単眼視スコープ。
【請求項６】
眼鏡型の本体を特徴とする請求項２記載の両単眼視スコープ。
【発明の詳細な説明】
【技術分野】
【０００１】  この発明は、鑑賞者が左右の眼で同時に違う映像を見ることができる両単眼視スコープに関するものである。
【背景技術】
【０００２】  従来、人間の眼の構造は「両眼視」といい、左右両方の眼で一度にひとつの方向のひとつの対象しか見ることができない。一方鳥や草食動物、イルカ等の眼の構造は「単眼視」といい、両眼で同時に異なる方向の異なる対象を見ることができる。【０００３】  この左右の眼で異なる対象を同時に見る視覚を人間が体験できる道具が今までなかった。
【発明の開示】
【発明が解決しようとする課題】
【０００４】  以上に述べたとおり、左右の眼で異なる対象を同時に見る、両眼同時の単眼視を体験できる道具が今までなかった。【０００５】  本発明の第１番は、両眼同時の単眼視を体験できる手段の提供を目的とするものである。【０００６】  また第２番の発明は、音声入出力手段を備えた発明第１番の提供を目的とするものである。【０００７】  また他の目的は、台座等に固定もしくは設置された本発明第１番と第２番の提供を目的とするものである。【０００８】  更に他の目的は、頭部に装着できる眼鏡型の本発明第１番と第２番を提供することを目的とするものである。
【課題を解決するための手段】
【０００９】  本発明の請求項１は上記目的を達成するために、接眼部から本体の中を覗き見たとき、右眼と左眼がそれぞれ異なる画面や対象物（例えば万華鏡など）を見る構造と、それらの異なる画面や対象物がそれぞれ異なった映像や動きを同時に展開できる機能を備え持つことを特徴とする。【００１０】  また、請求項２においては、請求項１に音声入出力機能を備えたものである。映像に附随した音声や鑑賞者が選んだ音源等が、音声入出力機能を通してヘッドホンやスピーカー等で出力されることを特徴とする。【００１１】  また、請求項３においては、請求項１を台座等に設置、もしくは台座等と一体の形態にして、安定した状態で使用できることを特徴とする。【００１２】  また、請求項４においては、請求項２を台座等に設置、もしくは台座等と一体の形態にして、安定した状態で使用できることを特徴とする。【００１３】  また、請求項５においては、請求項１の本体を眼鏡の形状にし、頭部に装着でき、自由な姿勢で使用できることを特徴とする。【００１４】  また、請求項６においては、請求項２の本体を眼鏡の形状にし、頭部に装着でき、自由な姿勢で使用できることを特徴とする。
【発明の効果】
【００１５】  前述したように請求項１の両単眼視スコープは、鑑賞者が左右の目で同時にそれぞれ異なる映像や対象物を見ることができ、通常人間ができない鳥や草食動物、イルカ等がおこなう両目同時による単眼視の視覚体験を提供できる。【００１６】  仮定であるが、両眼で同時に異なる映像を見るという通常人間がおこなわない行為をおこなうことで、視覚神経や大脳辺緑系が刺激され脳の活性化に多少なりとも効果があると推測できる。【００１７】  鳥やイルカなど単眼視の動物の眼の位置から空や海の中の映像を撮影し、左右の画面で再生すれば、鑑賞者が動物の目からみた世界を視覚で体験し楽しむことができる。【００１８】  画面映像の光や色彩、テーマ、左右のバランスの効果などを研究し、用途によって映像
を使い分けることで、鑑賞者の状態にあった適切な視覚刺激を脳に与えたり、リラックスや癒し、教育、自己啓発の道具として幅広い利用の可能性が期待できる。【００１９】  ゲームのアイデアや芸術の表現に多くの新しい可能性を与えることができる。【００２０】  両眼視のトレーニングへの利用が期待できる。【００２１】  また音声入出力機能を備えることで、鑑賞者が好みの音楽を聴きながら、よりリラックスした状態で本発明を使用できる。
【発明を実施するための最良の形態】
【００２２】
【００２３】  以下、本発明を実施するための最良の形態を図１に基づいて説明する。
図１は、請求項１の実施例の構成図である。本体１には鑑賞者２の左右の眼の位置にそれぞれ右接眼部３と左接眼部４が設けられており、それらの先には右画面５と左画面６が設置され、映像出力手段７から送られる異なった映像８と９を映し出す。仕切り１０があるため観察者の右眼の視線は右画面５のみ、左眼の視線は左画面６のみ見ることが可能である。本体に操作装置１１を備えている。本発明の第１番は、以上のような構造である。【００２４】  図２は、図１に請求項２の要素を追加した実施例の構成図である。図１の構造は上記してあるのでここでは説明を省略する。音声入出力手段１２から送られる音声がヘッドホン１３の右スピーカー１４と左スピーカー１５から聴こえている。本体に音声操作装置１６、ヘッドホン端子１７を備えている。本発明の第２番は、以上のような構造である。【００２５】  また、請求項３の図３においては、図１の本体１を台座１８等に設置することで本体が安定し、鑑賞者が両手を自由に動かせ、リラックスした状態で使用することが可能である。【００２６】  また、請求項４の図４においては、図１の本体を台座と一体の形態１９にすることで安定し、鑑賞者２は両手を自由に動かせるため音声操作装置１６の使用が簡単にでき、ヘッドホン１３を使用して音声を聴きながらリラックスした状態で使用することが可能である。【００２７】  また、請求項５の図５においては、図１の本体を眼鏡の形態２０にすることで、頭部に装着でき、鑑賞者は安定した視界を確保したまま自由な姿勢で使用することができる。たとえば、鑑賞者の健康状態にも関係なく使用が可能である。映像操作装置は本体２０もしくはリモートコントロール機器２１に設けられ、操作できる。【００２８】  更に、請求項６の図６においては、図２の本体を眼鏡の形態２０にすることで、頭部に装着でき、鑑賞者２は安定した視界を確保し、自由な姿勢でヘッドホン１３から音声を聴きながら使用することができる。たとえば、鑑賞者の健康状態にも関係なく使用が可能である。映像及び音声操作装置は、リモートコントロール機器２１に設けられ操作できる。【００２９】  図７においては、請求項１を万華鏡で実施した例の構成図である。ちなみにここでは万華鏡のもっともオーソドックスな形状であるチャンバータイプの構造を例に用いて説明する。本体２２には鑑賞者２の左右の眼の正面の位置に、それぞれ右万華鏡２３と左万華鏡２４が設けられている。万華鏡２３は接眼レンズ２５、鏡筒２６、オブジェクト２７によって、万華鏡２４は接眼レンズ２８、鏡筒２９、オブジェクト３０によって構成されている。両万華鏡はそれぞれ独立した構造を持つため、鑑賞者は一方の眼で一方の空間の映像しか見ることができない。オブジェクト２７、３０をそれぞれ操作することによりふたつの万華鏡内の映像を変化させることができる。【００３０】  なお、請求項１の本体内に設置される画面と映像入出力手段、映像等に関する手段においては、公知された画面、映像装置、映像機器材、映像、万華鏡等を好適に使用できる。【００３１】  請求項２の音声入出力に関する機能や手段においては、公知された音声入出力機器材、音響機器材、音源を好適に使用できる。【００３２】  また、請求項３、請求項４に使用される台座等の手段においては、カメラ用の三脚など公知されたものを好適に使用できる。【００３３】  また、請求項５、請求項６のリモートコントロール機器の手段においては、公知された技術や手段を好適に使用できる。
【図面の簡単な説明】
【００３４】
【図１】  本発明第１番の実施例の構成図である。
【図２】  本発明第２番の実施例の構成図である。
【図３】  本発明第１番の実施の形態に係わる両単眼視スコープ本体を台座に設置したものの斜視図である。
【図４】  本発明第２番の実施の形態に係わる台座と一体型の両単眼視スコープの使用例の横面図である。
【図５】  本発明第１番の形態に係わる眼鏡型両単眼視スコープの透視斜視図である。
【図６】  本発明第２番の形態に係わる眼鏡型両単眼視スコープの実施の使用例である。
【図７】  本発明第１番に万華鏡を使用した実施例の構成図である。
【符号の説明】
【００３５】  １    本体
２    鑑賞者
３    右眼用接眼部
４    左眼用接眼部
５    右画面
６    左画面
７    映像再生手段
８    右画面の映像
９    左画面の映像
１０  仕切り
１１  映像操作装置
１２  音声入力手段
１３  ヘッドホン
１４  右スピーカー
１５  左スピーカー
１６  音声操作装置
１７  ヘッドホン端子
１８  台座
１９  台座と一体の形態の本体
２０  眼鏡の形態の本体
２１  リモートコントロール機器
２２  万華鏡タイプ本体
２３  右万華鏡
２４  左万華鏡
２５  右接眼レンズ
２６  右鏡筒
２７  右オブジェクト
２８  左接眼レンズ
２９  左鏡筒
３０  左オブジェクト
【図１】
2006287896.tif 000003
【図２】
2006287896.tif 000004
【図３】
2006287896.tif 000005
【図４】
2006287896.tif 000006
【図５】
2006287896.tif 000007
【図６】
2006287896.tif 000008
【図７】
2006287896.tif 000009